(57)【要約】【課題】本発明は、簡便な手法でコンテンツ毎に動作制御が可能な、コンテンツ配信システム及びコンテンツ配信方法、それらに備えられるサーバ及びユーザ側端末の提供を目的とする。【解決手段】本発明にかかるコンテンツ配信システムは、コンテンツを配信するサーバ１５０と、サーバ１５０から配信されるコンテンツを出力する第１端末機能としての映像端末１１０と、ユーザからの入力を受け付ける第２端末機能としての携帯端末１３０とを含むユーザ側端末とを備え、サーバ１５０は、コンテンツを映像端末１１０を介して出力する際の設定に関する設定情報を記憶しており、ユーザ側端末にコンテンツを配信するに当たり、当該コンテンツに関する設定情報をユーザ側端末に送信する。【選択図】図４
2012248977.tif 000002
【特許請求の範囲】
【請求項１】
コンテンツを配信するサーバと、
前記サーバから配信される前記コンテンツを出力する第１端末機能と、ユーザからの入力を受け付ける第２端末機能とを含むユーザ側端末とを備え、
前記サーバは、
前記コンテンツを前記第１端末機能を介して出力する際の設定に関する設定情報を記憶しており、
前記ユーザ側端末に前記コンテンツを配信するに当たり、当該コンテンツに関する前記設定情報を前記ユーザ側端末に送信することを特徴とする、
コンテンツ配信システム。
【請求項２】
前記サーバが、少なくとも再生にかかる前記コンテンツの識別情報、及び、前記第１端末機能の識別情報を含む再生権情報を記憶していることを特徴とする、
請求項１に記載のコンテンツ配信システム。
【請求項３】
前記ユーザ側端末が、前記第１端末機能を介して、前記サーバから配信された、前記再生権情報に対応する前記コンテンツを受信することを特徴とする、
請求項２に記載のコンテンツ配信システム。
【請求項４】
前記ユーザ側端末は、前記第１端末機能を介して、前記設定情報に基づいて出力するための設定を行う際当該設定情報を更新し、更新した前記設定情報を前記サーバに送信し、
前記サーバが、受信した前記設定情報に基づいて、記憶している前記設定情報を更新することを特徴とする、
請求項１〜３のいずれかに記載のコンテンツ配信システム。
【請求項５】
前記設定情報は、前記第１端末機能を介して出力される音声の音質、音声の音量、映像の画質、映像の解像度、コンテンツのチャプター再生順序、再生速度に関連する情報のうちの少なくとも１つを含む情報であることを特徴とする、
請求項１〜４のいずれかに記載のコンテンツ配信システム。
【請求項６】
前記ユーザ側端末が、前記第１端末機能を介して、前記設定情報に基づいて出力するための設定、及び、前記サーバへの前記再生権情報の送信を行うことを特徴とする、
請求項２〜５のいずれかに記載のコンテンツ配信システム。
【請求項７】
前記ユーザ側端末が、前記第２端末機能を介して、前記再生権情報及び前記設定情報を含む制御情報を生成し、
前記第１端末機能を介して、前記制御情報から前記設定情報を抽出し当該設定情報に基づいて出力するための設定を行い、前記制御情報から前記再生権情報を抽出し当該再生権情報を前記サーバに送信することを特徴とする、
請求項２〜６のいずれかに記載のコンテンツ配信システム。
【請求項８】
前記サーバは、前記ユーザにより前記コンテンツの出力要求の通知を受けた場合、出力要求された当該コンテンツに関する前記再生権情報及び当該コンテンツに関する前記設定情報を含む制御情報を前記ユーザ側端末に送信することを特徴とする、
請求項２〜７のいずれかに記載のコンテンツ配信システム。
【請求項９】
前記サーバが、前記コンテンツを前記ユーザ側端末に配信した後に、当該コンテンツに関する前記設定情報を前記ユーザ側端末に配信することを特徴とする、
請求項１〜５のいずれかに記載のコンテンツ配信システム。
【請求項１０】
コンテンツを配信するサーバと、前記サーバから配信される前記コンテンツを出力する第１端末機能と、ユーザからの入力を受け付ける第２端末機能とを含むユーザ側端末との間のコンテンツ配信方法であって、
（ａ）前記コンテンツを前記第１端末機能を介して出力する際の設定に関する設定情報を、前記サーバに記憶させる工程と、
（ｂ）前記サーバが、前記ユーザ側端末に前記コンテンツを配信するに当たり、当該コンテンツに関する前記設定情報を前記ユーザ側端末に送信する工程とを備えることを特徴とする、
コンテンツ配信方法。
【請求項１１】
コンテンツをユーザ側端末において出力する際の設定に関する設定情報を記憶する記憶手段を備え、
前記ユーザ側端末に前記コンテンツを配信するに当たり当該コンテンツに関する前記設定情報を前記ユーザ側端末に送信することを特徴とする、
サーバ。
【請求項１２】
サーバから配信される前記コンテンツを出力する第１端末機能と、ユーザからの入力を受け付ける第２端末機能とを含むユーザ側端末であって、
前記第２端末機能を介して、コンテンツの出力要求をサーバに行う場合、当該コンテンツを第１端末機能において出力するための設定に関する設定情報の送信を前記サーバに要求することを特徴とする、
ユーザ側端末。
【発明の詳細な説明】
【技術分野】
【０００１】
本発明は、コンテンツの配信を行うコンテンツ配信システム及びコンテンツ配信方法、当該コンテンツ配信システムに備えられるサーバ及びユーザ側端末に関するものである。
【背景技術】
【０００２】
インターネットの普及に伴い、ネットワーク経由でのコンテンツの購入、及びチケットの予約等、様々なサービスを受けることができるようになっている。
【０００３】
これらのサービスは、パソコンだけではなく情報家電機器においても享受することができるようになってきている。例えば、携帯電話等の携帯機器で、音楽及び動画等のコンテンツを購入すること、デジタルテレビやブルーレイディスクレコーダー等のデジタルＡＶ機器で、映像配信サービスを受けること等が行われている。
【０００４】
また、これらのデジタルＡＶ機器は、機能が増えるとともに、サービスを受けるための各設定項目が増大、若しくは複雑化する。
【０００５】
この設定を行う手間を軽減するものとして、例えば特許文献１に示す遠隔制御システムがある。特許文献１に示す遠隔制御システムは、携帯電話と被制御機器とから構成されており、携帯電話からその携帯電話固有の識別情報を送信し、被制御機器は、その携帯電話固有の識別情報に基づいて、自身に記憶された制御情報を読み出し、読み出した制御情報に基づいて動作制御を行うことができる。
【先行技術文献】
【特許文献】
【０００６】
【特許文献１】特開２０００−３０８１６４号公報
【発明の概要】
【発明が解決しようとする課題】
【０００７】
上記の遠隔制御システムでは、被制御機器の制御を、携帯電話から送信される携帯電話固有の識別情報と、被制御機器に記憶されている制御情報とに基づいて行う。
【０００８】
そのため、例えば、同一の携帯電話から動作制御を行う場合には、再生等を行うコンテンツが異なっている場合でも同一の制御内容となってしまい、ユーザがコンテンツ毎に動作を変更したい場合にはユーザが個別に設定を行う必要がある。よって、手間が掛かってしまうという問題があった。
【０００９】
本発明は、上記のような問題を解決するためになされたものであり、簡便な手法でコンテンツ毎に動作制御が可能な、コンテンツ配信システム及びコンテンツ配信方法、それらに備えられるサーバ及びユーザ側端末の提供を目的とする。
【課題を解決するための手段】
【００１０】
本発明にかかるコンテンツ配信システムは、コンテンツを配信するサーバと、前記サーバから配信される前記コンテンツを出力する第１端末機能と、ユーザからの入力を受け付ける第２端末機能とを含むユーザ側端末とを備え、前記サーバは、前記コンテンツを前記第１端末機能を介して出力する際の設定に関する設定情報を記憶しており、前記ユーザ側端末に前記コンテンツを配信するに当たり、当該コンテンツに関する前記設定情報を前記ユーザ側端末に送信することを特徴とする。
【００１１】
本発明は、コンテンツを配信するサーバと、前記サーバから配信される前記コンテンツを出力する第１端末機能と、ユーザからの入力を受け付ける第２端末機能とを含むユーザ側端末との間のコンテンツ配信方法であって、（ａ）前記コンテンツを前記第１端末機能を介して出力する際の設定に関する設定情報を、前記サーバに記憶させる工程と、（ｂ）前記サーバが、前記ユーザ側端末に前記コンテンツを配信するに当たり、当該コンテンツに関する前記設定情報を前記ユーザ側端末に送信する工程とを備えることを特徴とする。
【００１２】
本発明にかかるサーバは、コンテンツをユーザ側端末において出力する際の設定に関する設定情報を記憶する記憶手段を備え、前記ユーザ側端末に前記コンテンツを配信するに当たり当該コンテンツに関する前記設定情報を前記ユーザ側端末に送信することを特徴とする。
【００１３】
本発明にかかるユーザ側端末は、サーバから配信される前記コンテンツを出力する第１端末機能と、ユーザからの入力を受け付ける第２端末機能とを含むユーザ側端末であって、前記第２端末機能を介して、コンテンツの出力要求をサーバに行う場合、当該コンテンツを第１端末機能において出力するための設定に関する設定情報の送信を前記サーバに要求することを特徴とする。
【発明の効果】
【００１４】
本発明にかかるコンテンツ配信システムによれば、コンテンツを配信するサーバと、前記サーバから配信される前記コンテンツを出力する第１端末機能と、ユーザからの入力を受け付ける第２端末機能とを含むユーザ側端末とを備え、前記サーバは、前記コンテンツを前記第１端末機能を介して出力する際の設定に関する設定情報を記憶しており、前記ユーザ側端末に前記コンテンツを配信するに当たり、当該コンテンツに関する前記設定情報を前記ユーザ側端末に送信することにより、再生等するコンテンツ毎にコンテンツを出力する第１端末機能の設定を簡単に行うことができる。
【００１５】
本発明によれば、コンテンツを配信するサーバと、前記サーバから配信される前記コンテンツを出力する第１端末機能と、ユーザからの入力を受け付ける第２端末機能とを含むユーザ側端末との間のコンテンツ配信方法であって、（ａ）前記コンテンツを前記第１端末機能を介して出力する際の設定に関する設定情報を、前記サーバに記憶させる工程と、（ｂ）前記サーバが、前記ユーザ側端末に前記コンテンツを配信するに当たり、当該コンテンツに関する前記設定情報を前記ユーザ側端末に送信する工程とを備えることにより、再生等するコンテンツ毎にコンテンツを出力する第１端末機能の設定を簡単に行うことができる。
【００１６】
本発明にかかるサーバによれば、コンテンツをユーザ側端末において出力する際の設定に関する設定情報を記憶する記憶手段を備え、前記ユーザ側端末に前記コンテンツを配信するに当たり当該コンテンツに関する前記設定情報を前記ユーザ側端末に送信することにより、再生等するコンテンツ毎にコンテンツを出力するユーザ側端末の設定を簡単に行うことができる。
【００１７】
本発明にかかるユーザ側端末によれば、サーバから配信される前記コンテンツを出力する第１端末機能と、ユーザからの入力を受け付ける第２端末機能とを含むユーザ側端末であって、前記第２端末機能を介して、コンテンツの出力要求をサーバに行う場合、当該コンテンツを第１端末機能において出力するための設定に関する設定情報の送信を前記サーバに要求することにより、再生等するコンテンツ毎にコンテンツを出力する第１端末機能の設定を簡単に行うことができる。
【図面の簡単な説明】
【００１８】
【図１】実施の形態１にかかるコンテンツ配信システムの構成を示す概略図である。
【図２】実施の形態１にかかる映像端末の構成を示す機能ブロック図である。
【図３】実施の形態１にかかる携帯端末の構成を示す機能ブロック図である。
【図４】実施の形態１にかかるコンテンツ配信システムでの処理を示すシーケンス図である。
【図５】実施の形態１にかかる映像端末の別の構成の例を概略的に示す機能ブロック図である。
【図６】実施の形態１にかかるコンテンツ配信システムでの別の処理の例を示すシーケンス図である。
【図７】実施の形態１にかかる携帯端末の別構成を示す機能ブロック図である。
【図８】実施の形態１にかかる制御情報の、データフォーマットの一例を示す図である。
【図９】実施の形態１にかかる再生権情報の、データフォーマットの一例を示す図である。
【図１０】実施の形態１にかかる設定情報の、データフォーマットの一例を示す図である。
【図１１】実施の形態１にかかる設定情報の、データフォーマットの一例を示す図である。
【発明を実施するための形態】
【００１９】
＜Ａ．実施の形態１＞
＜Ａ−１．構成＞
図１は、実施の形態１にかかるコンテンツ配信システム１００の構成を示す概略図である。コンテンツ配信システム１００は、ネットワーク１７０を介してそれぞれ接続される映像端末１１０と、携帯端末１３０と、コンテンツを配信するサーバ１５０とを備えている。ネットワーク１７０は、例えば、インターネット等の広域通信網である。
【００２０】
映像端末１１０と携帯端末１３０とは、図示するように別個の端末として存在してもよいし、それらの機能を有する１つのユーザ側端末を構成して備えられていてもよい。配信されるコンテンツを出力する第１端末機能（映像端末１１０に相当）と、ユーザからの入力を受け付ける第２端末機能（携帯端末１３０に相当）とが、コンテンツ配信システム内に概念的に備えられていれば足りる。
【００２１】
なお本実施の形態においては、映像端末１１０と、携帯端末１３０と、サーバ１５０とは、同じネットワーク１７０に接続されているが、映像端末１１０とサーバ１５０とが接続されているネットワークと、携帯端末１３０とサーバ１５０とが接続されているネットワークとは、異なるネットワークであってもよい。
【００２２】
図２は、そのうちの映像端末１１０の構成を概略的に示す機能ブロック図である。映像端末１１０は、ネットワーク１７０と通信を行うネットワーク手段１１１と、通信した信号を受信する受信手段１１２と、受信手段１１２において受信した信号を用いて制御情報を処理する制御情報処理手段１１８と、ネットワーク手段１１１と制御情報処理手段１１８とに接続され、映像端末１１０における再生動作を制御情報に従って制御する再生制御手段１１３と、制御情報処理手段１１８に接続され、制御情報に従って映像端末１１０の設定を行う映像端末設定手段１１５と、再生制御手段１１３による制御に従い、映像端末設定手段１１５において設定された映像端末１１０の設定状態で映像及び音声を出力する映像音声出力手段１１４と、映像音声出力手段１１４に信号を入力する入力手段１１６とを備える。
【００２３】
ネットワーク通信手段１１１は、ネットワーク１７０を介した通信を行う。受信手段１１２は、携帯端末１３０から送信される制御情報を受信する。例えば、受信手段１１２は、赤外線通信、又は非接触ＩＣ等の近距離無線通信等を用いて、制御情報を受信する。制御情報とは、後述する再生権情報及び映像端末１１０の設定情報を含む情報である。
【００２４】
制御情報処理手段１１８は、受信手段１１２を介して携帯端末１３０より送信される制御情報を受信して、再生権情報と設定情報とを抽出し、再生権情報を再生制御手段１１３に通知し、設定情報を映像端末設定手段１１５に通知する。
【００２５】
再生制御手段１１３は、制御情報処理手段１１８から再生権情報が通知されると、ネットワーク通信手段１１１を介してサーバ１５０に再生権情報を送信し、サーバ１５０が再生権情報を受理してその認証がなされると、再生制御手段１１３は、ネットワーク通信手段１１１を介してサーバ１５０より対応するコンテンツデータを取得し、当該コンテンツデータのコンテンツを再生する処理を制御する。
【００２６】
再生制御手段１１３は、取得したコンテンツを映像音声出力手段１１４に与えて、当該コンテンツに対応する画像を映像音声出力手段１１４に表示させる。ここで再生権情報とは、例えば、携帯端末１３０を一意に識別する携帯端末識別情報（携帯端末ＩＤ）と、コンテンツを一意に識別するコンテンツ識別情報（コンテンツＩＤ）と、サーバ１５０を一意に識別するサーバ識別情報（サーバＩＤ）と、コンテンツを利用する際の利用条件を示すコンテンツ利用条件とを含む情報である。
【００２７】
コンテンツ利用条件には、例えば、有効期限、再生回数制限（利用回数）等が含まれる。サーバ識別情報としては、ＵＲＩ（Ｕｎｉｆｏｒｍ  Ｒｅｓｏｕｒｃｅ  Ｉｄｅｎｔｉｆｉｅｒ）等のアドレスを用いることができる。なお、再生権情報には、少なくとも、携帯端末識別情報と、コンテンツ識別情報とが含むものとする。
【００２８】
映像音声出力手段１１４は、再生制御手段１１３からコンテンツデータを取得し、映像（画像）及び音声の出力を行う。
【００２９】
映像端末設定手段１１５は、制御情報処理手段１１８から設定情報が通知されると、再生制御手段１１３及び映像音声出力手段１１４に対し、設定情報に記述された情報に基づいて、設定処理を行う。
【００３０】
設定情報は、サーバ１５０に記憶された、コンテンツを出力する際の設定に関する情報であり、例えば、携帯端末１３０の携帯端末ＩＤと、出力する音声に関する、スピーカーの高低音及び左右バランス調整等の音質設定情報と、スピーカーの音量設定情報と、出力映像に関する、映像コントラスト、黒レベル、色の濃さ、色合い調整等の画質の設定情報と、画面サイズの設定情報と、字幕表示の有無の設定情報と、コンテンツの再生制御に関する、コンテンツのチャプター再生順序、コンテンツの再生速度等の設定情報とを含む情報である。
【００３１】
なお、ユーザが入力手段１１６を介して映像端末１１０の設定情報を入力し、映像端末設定手段１１５がその設定情報に基づいて映像端末１１０の設定処理を行ってもよい。この際、映像音声出力手段１１４において設定情報を入力するためのメニュー等を表示させることができる。
【００３２】
入力手段１１６は、ユーザが映像端末１１０を操作する際、ユーザよりコマンド等の入力を受け付ける。入力手段１１６は、例えば、リモコンや、キーボードや、マウス等の入力デバイスにより実現することができる。
【００３３】
図３は、携帯端末１３０の構成を概略的に示す機能ブロック図である。携帯端末１３０は、ネットワーク１７０と通信を行うネットワーク通信手段１３１と、信号を受信する送信手段１３２と、送信手段１３２において送信する制御情報を生成する制御情報生成手段１３７と、制御情報における再生権情報を管理する再生権情報管理手段１３３と、制御情報における設定情報を管理する設定情報管理手段１３４と、再生権情報管理手段１３３及び設定情報管理手段１３４に信号を入力する入力手段１３５と、映像（画像）を表示する表示手段１３６とを備える。
【００３４】
ネットワーク通信手段１３１は、ネットワーク１７０を介した通信を行う。送信手段１３２は、映像端末１１０に制御情報を送信する。送信手段１３２は、例えば赤外線通信や、非接触ＩＣ等の近距離無線通信を用いて、制御情報を送信する。
【００３５】
再生権情報管理手段１３３は、サーバ１５０から再生権情報を取得する。例えば再生権情報管理手段１３３は、ネットワーク１７０を介してサーバ１５０との間でコンテンツの購入処理を行い、購入したコンテンツの再生権情報をサーバ１５０より取得する。そして取得した再生権情報を記憶する。
【００３６】
また、入力手段１３５を介して、ユーザから再生権情報を表示する指示があった場合には、再生権情報管理手段１３３は再生権情報を所定の表示形式で示した画像情報を生成し、この画像情報を表示手段１３６に表示させる処理を行う。ユーザは、表示手段１３６に表示された画像情報を確認し、入力手段１３５を介して、ユーザが視聴するコンテンツの再生権情報を送信するよう、再生権情報管理手段１３３に指示する。
【００３７】
設定情報管理手段１３４は、サーバ１５０から映像端末１１０に対する設定情報を取得する。例えば設定情報管理手段１３４は、ネットワーク通信手段１３１を介して携帯端末１３０固有の携帯端末ＩＤと、再生権情報管理手段１３３が記憶する再生権情報に含まれるコンテンツＩＤとを含む情報を送信し、サーバ１５０から設定情報を取得する。そして、設定情報管理手段１３４は、取得した設定情報を記憶する。
【００３８】
設定情報管理手段１３４がサーバ１５０から取得する設定情報は、例えば、デフォルト設定としてサーバ１５０があらかじめ記憶している情報や、ユーザが携帯端末１３０の入力手段１３５等を用いて、コンテンツの購入時等に設定し、ネットワーク通信手段１３１を介してサーバ１５０に記憶させた情報等である。
【００３９】
入力手段１３５は、ユーザが携帯端末１３０を操作する際に、ユーザからコマンド等の入力を受け付ける。入力手段１３５は、例えば、リモコンや、キーボードや、マウス等の入力デバイスにより実現することができる。
【００４０】
また、入力手段１３５は、ユーザから再生権情報管理手段１３３に対して再生権情報の送信指示があった場合、再生権情報が送信された旨を制御情報生成手段１３７に対して通知する。
【００４１】
表示手段１３６は、映像（画像）を表示する。例えば、表示手段１３６は、ディスプレイ等の表示デバイスにより実現することができる。
【００４２】
制御情報生成手段１３７は、ユーザが再生権情報の送信指示を行った場合、再生権情報管理手段１３３が管理する、ユーザが送信指示を行った再生権情報を取得し、取得した再生権情報に含まれるコンテンツＩＤに基づいて、設定情報管理手段１３４が管理する設定情報を取得する。さらに、取得した再生権情報及び設定情報から制御情報を生成し、送信手段１３２を介して、生成した制御情報を映像端末１１０に送信する処理を行う。
【００４３】
ここで、図５に示すように、映像端末２１０として、新たに映像端末設定通知手段１１７を追加した構成を備える場合には、映像端末設定通知手段１１７は、映像端末設定手段１１５に設定情報が通知された際に、映像端末２１０に設定されたその設定情報を取得できる。そして取得し更新した設定情報を、ネットワーク通信手段１１１を介してサーバ１５０に送信し、サーバ１５０に記憶させるとともに、サーバ１５０に設定情報を通知することもできる。
【００４４】
このように、映像端末設定通知手段１１７が、映像端末２１０に設定され更新された設定情報をサーバ１５０に通知することで、サーバ１５０が記憶している設定情報を、映像端末２１０に設定された設定情報に合わせて更新することができ、次にユーザがコンテンツ視聴等の操作を行う際に、当該更新された設定情報を用いて映像端末の設定を行うことができる。
【００４５】
図８に、制御情報のデータフォーマットの例を示す。図８の制御情報は、制御情報データ長の情報と、再生権情報データ長の情報と、再生権情報と、設定情報データ長の情報と、設定情報とから構成されている。
【００４６】
図９に、再生権情報のデータフォーマットの例を示す。図９の再生権情報は、携帯端末ＩＤと、サーバＩＤ長の情報と、サーバＩＤと、コンテンツＩＤと、有効期限の情報と、利用回数の情報とから構成されている。
【００４７】
図１０に、設定情報のデータフォーマットの例を示す。図１０の設定情報は、設定コマンド数の情報と、設定コマンド数に記述された数の設定コマンド種別の情報と、設定パラメータ長の情報と、設定パラメータの情報とから構成される。図に示すように、設定コマンド種別の情報と、設定パラメータ長の情報と、設定パラメータの情報とが組み合わされて、繰り返しの単位となっている。
【００４８】
図１１に、再生するチャプター番号を制御するための設定情報の例を示す。図１１は、音量設定を“２０”に設定する場合の例を示す。
【００４９】
図１１の例に示すのは、設定コマンド数として“１”、設定コマンド種別として“音量設定”、設定パラメータ長として“１”、設定パラメータとして“２０”を記述したデータである。
【００５０】
制御情報生成手段１３７は、取得した再生権情報及び設定情報から、図８〜図１１に示したようなフォーマットのデータを生成し、送信手段１３２を介して映像端末１１０に送信する処理を行う。
【００５１】
図４は、コンテンツ配信システム１００での処理の例を示すシーケンス図である。図４では、映像端末１１０に対する設定情報は、あらかじめサーバ１５０に記憶されているものとする。
【００５２】
ユーザが、携帯端末１３０の入力手段１３５を用いて、例えばコンテンツの購入操作を行う（ステップＳ１０）と、携帯端末１３０の再生権情報管理手段１３３は、ネットワーク通信手段１３１を用いて、コンテンツの購入要求をサーバ１５０に送信する処理を行う（ステップＳ１１）。
【００５３】
このコンテンツの購入要求には、携帯端末１３０の携帯端末識別情報、及び、購入するコンテンツのコンテンツ識別情報が含まれ、さらにユーザの選択等により、購入するコンテンツの利用条件（例えば、有効期限、利用回数等）が含まれる。
【００５４】
コンテンツの購入要求を受信したサーバ１５０は、このコンテンツの購入要求に対応する再生権情報を生成する（ステップＳ１２）。そして、生成した再生権情報を携帯端末１３０に送信する処理を行う（ステップＳ１３）。
【００５５】
このような再生権情報を、ネットワーク通信手段１３１を介して受信した携帯端末１３０は、再生権情報管理手段１３３により受信した再生権情報を記憶させる。
【００５６】
ユーザが携帯端末１３０を用いて購入したコンテンツの再生権情報により、映像端末１１０において当該コンテンツを視聴する場合には、ユーザは、携帯端末１３０の入力手段１３５を用いて、表示手段１３６に表示された当該コンテンツの再生権情報について送信指示を行い、再生権情報の送信指示が行われたことを制御情報生成手段１３７に通知する（ステップＳ１５）。
【００５７】
携帯端末１３０は、ステップＳ１５において、再生権情報の送信指示が行われたことが制御情報生成手段１３７に通知されると、制御情報生成手段１３７は、携帯端末１３０の端末固有の携帯端末識別情報、及び、送信指示が行われた再生権情報に含まれるコンテンツ識別情報のいずれかを含む情報、若しくはその両方を含む情報を、ネットワーク１５０を介してサーバ１５０に送信し、サーバ１５０に対して設定情報送信要求を行う（ステップＳ１６）。
【００５８】
サーバ１５０は、設定情報送信要求に対応した設定情報を読み出し、携帯端末１３０に対して送信する処理を行う（ステップＳ１７）。
【００５９】
携帯端末１３０は、ネットワーク通信手段１３１を介して設定情報を受信すると、設定情報管理手段１３４に記憶し、制御情報生成手段１３７に通知する。
【００６０】
制御情報生成手段１３７は、送信指示が行われた再生権情報について、再生権管理手段１３３が管理する再生権情報を取得し、取得した再生権情報に含まれるコンテンツ識別情報に基づいて、設定情報管理手段１３４が管理する設定情報を取得し、取得した再生権情報及び設定情報から制御情報を生成し（ステップＳ１８）、送信手段１３２を介して、生成した制御情報を映像端末１１０に送信する（ステップＳ１９）。
【００６１】
映像端末１１０は、携帯端末１３０から受信手段１１２を介して制御情報を受信すると、制御情報処理手段１１８が受信した制御情報から再生権情報及び設定情報を抽出し、設定情報を映像端末設定手段１１５に通知し、再生権情報を再生制御手段１１３に通知する。
【００６２】
映像端末設定手段１１５は、通知された設定情報に基づいて、映像端末設定手段１１５により映像端末１１０の設定を行う（ステップＳ２０）。
【００６３】
再生制御手段１１３は、通知された再生権情報を、ネットワーク通信手段１１１を介してサーバ１５０に送信する処理を行い（ステップＳ２１）、サーバ１５０は送信された再生権情報に基づいて、映像端末１１０に対し、コンテンツを配信する（ステップＳ２２）。
【００６４】
映像端末１１０は、ネットワーク通信手段１１１を介してサーバ１５０からコンテンツを受信すると、ステップＳ２０で設定された設定に従い、再生制御手段１１３により受信したコンテンツの再生制御処理を行う。さらに、映像音声出力手段１１４を介して、ユーザに対しコンテンツの再生画面を表示する（ステップＳ２３）。
【００６５】
以上のように、本実施の形態にかかるコンテンツ配信システム１００によれば、ユーザがコンテンツを視聴するために、携帯端末１３０を用いて映像端末１１０に対して再生権情報の送信を指示した際に、携帯端末１３０の携帯端末識別情報、及び再生権情報に含まれるコンテンツ識別情報のいずれか、若しくは両方を含む情報に基づいて、サーバ１５０から映像端末１１０の設定情報を受信し、携帯端末１３０が再生権情報と設定情報とを含む制御情報を生成して携帯端末１３０から映像端末１１０に制御情報を送信し、映像端末１１０は、受信した制御情報から設定情報を抽出して、設定情報に基づいて自身の端末の設定を行い、制御情報から抽出した再生権情報を用いてコンテンツの再生、表示を行うことができる。
【００６６】
つまり、ユーザがコンテンツ再生を行う際に、映像端末１１０の設定をユーザが指示しなくてもサーバ１５０に記録された携帯端末の携帯端末識別情報、若しくは再生するコンテンツのコンテンツ識別情報に基づいた設定情報に基づいて、映像端末１１０の設定を行うことができ、コンテンツ毎にその設定を変更するような場合でも、視聴するコンテンツ毎に映像端末を設定しなおす手間を省くことができる。
【００６７】
本実施の形態では、携帯端末１３０は、再生権情報をサーバ１５０から取得するよう構成するものとして記述したが、これに限るものではなく、携帯端末１３０とは異なる端末でコンテンツの再生権を購入して、メモリーカード等の情報記憶媒体を用いて、購入したコンテンツに対応する再生権情報を携帯端末１３０の再生権情報管理手段１３３に記憶させるようにすることもでき、この場合、情報記憶媒体に記憶された再生権情報を、入力手段１３５を介して選択し、ステップＳ１４のステップからの再生権情報送信操作から行えばよい。
【００６８】
また、本実施の形態では、携帯端末１３０は、設定情報をサーバ１５０から取得するよう構成するものとして記述したが、これに限るものではなく、例えば、ユーザが、入力手段１３５及び表示手段１３６を用いて映像端末１１０に対する設定情報を入力し、設定情報管理手段１３４に記憶させておくようにすることもできる。若しくは、携帯端末１３０とは異なる端末で設定情報を入力し、メモリーカード等の情報記憶媒体を用いて、設定情報を携帯端末１３０の設定情報管理手段１３４に記憶させるようにすることもできる。この場合、ステップＳ１６及びステップＳ１７のステップを行わずに、ステップＳ１８のステップで制御情報を生成する際に、設定情報管理手段１３４に記憶された設定情報を読み取るようにすればよい。
【００６９】
また、本実施の形態では、携帯端末１３０が再生権情報を取得するサーバと設定情報を取得するサーバを同一のサーバであるとして説明したが、これに限るものではなく、再生権情報を取得するサーバと設定情報を取得するサーバが異なるサーバであってもよい。
【００７０】
また、本実施の形態では、携帯端末１３０は再生権情報と設定情報をそれぞれ個別のステップでサーバ１５０に取得する場合を説明したが、これに限るものではなく、例えば、携帯端末１３０が、サーバ１５０から制御情報を取得するようにしてもよい。
【００７１】
図７は、サーバ１５０から制御情報を取得するように構成した場合の、携帯端末２３０の構成を概略的に示す機能ブロック図である。
【００７２】
図７に示すように携帯端末２３０は、ネットワーク通信手段１３１、送信手段１３２、入力手段１３５、表示手段１３６、制御情報管理手段１３８とから構成される。説明の簡単化のため、携帯端末１３０からの変更部分である制御情報管理手段１３８のみについて、以下説明する。
【００７３】
制御情報管理手段１３８は、サーバ１５０から制御情報を取得する。例えば、制御情報管理手段１３８は、ネットワーク通信手段１３１を介して、サーバ１５０との間でコンテンツの購入処理を行い、購入したコンテンツの制御情報をサーバ１５０より入手する。
【００７４】
そして、制御情報管理手段１３８は、取得した制御情報を記憶する。制御情報管理手段１３８は、制御情報に含まれる再生権情報を表示する指示がユーザからあった場合には、制御情報に含まれる再生権情報を抽出し、再生権情報を所定の表示形式にした画像情報を生成し、この画像情報を表示手段１３６に表示させる処理を行う。
【００７５】
ユーザが表示手段１３６に表示された画像情報を確認し、視聴するコンテンツの再生権情報を送信するよう入力手段１３５を介して指示すると、制御情報管理手段１３８は、管理している、ユーザが送信指示を行った再生権情報を含む制御情報を、送信手段１３２を介して映像端末１１０に送信する処理を行う。
【００７６】
図６は、携帯端末２３０がサーバ１５０から制御情報を取得するようにしたコンテンツ配信システム１００の処理の例を示すシーケンス図である。
【００７７】
ユーザが携帯端末２３０の入力手段１３５を介して、コンテンツの購入操作を行う（ステップＳ３１）と、携帯端末１３０の制御情報管理手段１３８は、ネットワーク通信手段１３１を用いて、コンテンツ購入要求をサーバ１５０に送信する処理を行う（ステップＳ３２）。
【００７８】
このコンテンツ購入要求には、携帯端末１３０の携帯端末識別情報及び、購入するコンテンツのコンテンツ識別情報が含まれ、さらにユーザの選択等により、購入するコンテンツの利用条件（例えば、有効期限、利用回数等）が含まれる。
【００７９】
コンテンツ購入要求を受信したサーバ１５０では、このコンテンツに対応する制御情報を生成する（ステップＳ３３）。そして、生成した制御情報を読み出し、携帯端末１３０に対して、送信する処理を行う（ステップＳ３４）。
【００８０】
このような制御情報を、ネットワーク通信手段１３１を介して受信した携帯端末２３０は、制御情報管理手段１３８により制御情報を記憶させる。
【００８１】
ユーザは、購入したコンテンツを映像端末１１０で視聴する場合には、携帯端末２３０の入力手段１３５を介して、視聴するコンテンツの再生権情報を含む制御情報の送信操作を、表示手段１３６に表示される画面を介して行う（ステップＳ３５）。このような操作が行われると、携帯端末２３０の制御情報管理手段１３８は、対応する制御情報を読み出し、送信手段１３２を介して映像端末１１０に送信する処理を行う（ステップＳ３６）。
【００８２】
映像端末１１０は、受信手段１１２を介して制御情報を受信すると、受信した制御情報に含まれる設定情報に基づいて、映像端末設定手段１１５により映像端末１１０の設定を行い（ステップＳ３７）、さらに映像端末１１０は、ネットワーク通信手段１１１を介して、制御情報に含まれる再生権情報をサーバ１５０に送信する処理を行う（ステップＳ３８）。
【００８３】
サーバ１５０は、送信された再生権情報に基づいて、映像端末１１０に対してコンテンツを配信する（ステップＳ３９）。映像端末１１０は、ネットワーク通信手段１１１を介してサーバ１５０からコンテンツを受信すると、ステップＳ２０で設定された設定に従い、再生制御手段１１３により受信したコンテンツの再生制御処理を行い、映像音声出力手段１１４を介して、ユーザに対しコンテンツの再生画面を出力する（ステップＳ４０）。
【００８４】
本実施の形態では、コンテンツを出力等する端末として映像端末を備えているが、映像コンテンツに限らず、所定のサービスを提供するコンテンツを出力する端末であればよい。また、ユーザが使用する端末として携帯端末を備えているが、ユーザが入力等を行うことができる端末であれば十分であり、携帯できる場合に限るものではない。
【００８５】
また、本実施の形態では、ユーザがコンテンツを視聴する際には、携帯端末１３０から映像端末１１０へ制御情報が送信され、映像端末において設定がなされた後、再生権情報がサーバ１５０へ送信され、これによって映像端末１１０は、コンテンツ配信を受けるというように制御されているが、このような制御順序に限るものではない。
【００８６】
すなわち、コンテンツ配信が行われる前やコンテンツ配信が開始された後に、サーバ１５０に対してユーザが設定情報の要求を行い、映像端末１１０に送信したり、ユーザが、設定情報管理手段１３４に記憶された設定情報を表示させて選択し、選択した設定情報を、映像端末１１０に送信したりするように制御してもよい。
【００８７】
ユーザから提供が出力要求された１又は複数のコンテンツの配信に当たり、サーバ１５０から設定情報が提供されればよく、その際の設定情報の提供形態及び提供順序等は、特に限定されるものではない。設定情報が提供される提供先も、ユーザ側端末のいずれかであれば足りる。
【００８８】
＜Ａ−２．効果＞
本発明にかかる実施の形態によれば、コンテンツ配信システムにおいて、コンテンツを配信するサーバ１５０と、サーバ１５０から配信されるコンテンツを出力する第１端末機能としての映像端末１１０と、ユーザからの入力を受け付ける第２端末機能としての携帯端末１３０とを含むユーザ側端末とを備え、サーバ１５０は、コンテンツを映像端末１１０を介して出力する際の設定に関する設定情報を記憶しており、ユーザ側端末にコンテンツを配信するに当たり、当該コンテンツに関する設定情報をユーザ側端末に送信することで、再生等するコンテンツ毎にコンテンツを出力する映像端末１１０の設定を簡単に行うことができる。よって、ユーザが視聴するコンテンツ毎に映像端末１１０の設定を行う手間を省くことができる。
【００８９】
また、本発明にかかる実施の形態によれば、コンテンツ配信システムにおいて、サーバ１５０が、少なくとも再生にかかるコンテンツの識別情報、及び、第１端末機能としての映像端末１１０の識別情報を含む再生権情報を記憶していることで、コンテンツの購入要求があった場合に当該再生権情報を携帯端末に送信し、出力の許可を与えることができる。
【００９０】
また、本発明にかかる実施の形態によれば、コンテンツ配信システムにおいて、ユーザ側端末が、第１端末機能としての映像端末１１０を介して、サーバ１５０から配信された、再生権情報に対応するコンテンツを受信することで、受信したコンテンツを、設定情報に基づいて設定した映像端末１１０において出力することができる。
【００９１】
また、本発明にかかる実施の形態によれば、コンテンツ配信システムにおいて、ユーザ側端末は、第１端末機能としての映像端末１１０を介して、設定情報に基づいて出力するための設定を行う際当該設定情報を更新し、更新した設定情報をサーバ１５０に送信し、サーバ１５０が、受信した設定情報に基づいて、記憶している設定情報を更新することで、次にユーザがコンテンツ視聴の操作を行う際に、更新された設定情報を用いて映像端末１１０の設定を行うことができる。
【００９２】
また、本発明にかかる実施の形態によれば、コンテンツ配信システムにおいて、設定情報は、第１端末機能としての映像端末１１０を介して出力される音声の音質、音声の音量、映像の画質、映像の解像度、コンテンツのチャプター再生順序、再生速度に関連する情報のうちの少なくとも１つを含む情報であることで、当該設定情報に基づいて、映像端末１１０における設定を適切に行うことができる。
【符号の説明】
【００９３】
１００  コンテンツ配信システム、１１０，２１０  映像端末、１１１  ネットワーク通信手段、１１２  受信手段、１１３  再生制御手段、１１４  映像音声出力手段、１１５  映像端末設定手段、１１６  入力手段、１１７  映像端末設定通知手段、１１８  制御情報処理手段、１３０，２３０  携帯端末、１３１  ネットワーク通信手段、１３２  送信手段、１３３  再生権情報管理手段、１３４  設定情報管理手段、１３５  入力手段、１３６  表示手段、１３７  制御情報生成手段、１３８  制御情報管理手段、１５０  サーバ、１７０  ネットワーク。
【図１】
2012248977.tif 000003
【図２】
2012248977.tif 000004
【図３】
2012248977.tif 000005
【図４】
2012248977.tif 000006
【図５】
2012248977.tif 000007
【図６】
2012248977.tif 000008
【図７】
2012248977.tif 000009
【図８】
2012248977.tif 000010
【図９】
2012248977.tif 000011
【図１０】
2012248977.tif 000012
【図１１】
2012248977.tif 000013